(57)【要約】  本発明は、複数の円筒型電池セルの冷却効率が向上した二次電池パックを開示する。前記のような目的を果たすための本発明による二次電池パックは、電極端子が両端部に形成された複数の円筒型電池セルと、前記複数の円筒型電池セルを収容するように内部に形成された収容部及び内部から外部に穿孔された露出部が少なくとも一つ以上が備えられたパックケースと、金属材質のプレート形態で構成され、前記パックケースの露出部に位置し、少なくとも一部が前記パックケースの露出部によって外部に露出した少なくとも一つ以上の放熱プレートと、固体状態の熱伝導性素材を含み、前記複数の円筒型電池セルと前記放熱プレートとの間に介在される熱伝達パッドと、を含む。
2020537310.tif 000002
【特許請求の範囲】
【請求項１】
電極端子が両端部に形成された複数の円筒型電池セルと、
前記複数の円筒型電池セルを収容するように内部に形成された収容部及び内部から外部に穿孔された露出部が少なくとも一つ以上備えられたパックケースと、
金属材質のプレート形態で構成され、前記パックケースの露出部に位置し、少なくとも一部が前記パックケースの露出部によって外部に露出した少なくとも一つ以上の放熱プレートと、
固体状態の熱伝導性素材を含み、前記複数の円筒型電池セルと前記放熱プレートとの間に介在される熱伝達パッドと、
を含むことを特徴とする二次電池パック。
【請求項２】
前記熱伝達パッドは、前記複数の円筒型電池セルの上部を囲むように形成された上部パッドと、前記複数の円筒型電池セルの下部を囲むように形成された下部パッドと、を備えることを特徴とする請求項１に記載の二次電池パック。
【請求項３】
前記上部パッド及び前記下部パッドの各々には、前記複数の円筒型電池セルの間に介在されるように二次電池パックの内側方向へ突出した突出構造と二次電池パックの外側方向へ凹んだ凹み構造とが形成された屈曲部が備えられていることを特徴とする請求項２に記載の二次電池パック。
【請求項４】
前記複数の円筒型電池セルは、相互所定の距離で離隔して一方向へ配列され、
前記上部パッド及び前記下部パッドの各々に備えられた屈曲部の突出構造は、相互対向するように位置し、一部が相互連結されていることを特徴とする請求項３に記載の二次電池パック。
【請求項５】
前記放熱プレートの内側面には、前記屈曲部の突出構造と対応する位置に形成され、二次電池パックの内側方向へ膨らんでいる凸部が形成され、
前記熱伝達パッドの前記放熱プレートと対向する外側面には、前記凸部が挿入されるように二次電池パックの内側方向へ凹んだ挿入部が形成されたことを特徴とする請求項３に記載の二次電池パック。
【請求項６】
前記パックケースは、各々に前記露出部が形成された上部ケース及び下部ケースを備え、
前記上部ケースは、前記複数の円筒型電池セルの上部を内部に収容してカバーできるように内部構造が形成され、
前記下部ケースは、上面が前記上部ケースの下面と結合し、前記複数の円筒型電池セルの下部を収容してカバーできるように内部構造が形成されていることを特徴とする請求項３に記載の二次電池パック。
【請求項７】
前記放熱プレートは、第１放熱プレート及び第２放熱プレートを備え、
前記上部ケース及び前記下部ケースの各々の露出部の内側には、前記第１放熱プレート及び第２放熱プレートの各々の外周縁が挿入固定されるように内部に凹んだ挿入溝が形成されたことを特徴とする請求項６に記載の二次電池パック。
【請求項８】
前記上部パッド及び前記下部パッドの各々には、第１放熱プレート及び第２放熱プレートの各々の内側面と接触するように外側方向へ突出した支持部が形成されたことを特徴とする請求項７に記載の二次電池パック。
【請求項９】
前記放熱プレートの外周縁は、前記放熱プレートの中心部よりもプレートの厚さが厚く形成されたことを特徴とする請求項７に記載の二次電池パック。
【請求項１０】
前記露出部には、穿孔された開口の一側から他側へ延びて形成されたリブが少なくとも一つ以上形成されたことを特徴とする請求項１から９のいずれか一項に記載の二次電池パック。
【請求項１１】
前記二次電池パックは、前記複数の円筒型電池セルに形成された電極端子に接触し、前記複数の円筒型電池セル同士を電気的に接続する接続バスバーをさらに含むことを特徴とする請求項１から１０のいずれか一項に記載の二次電池パック。
【請求項１２】
前記熱伝達パッドは、前記接続バスバーと前記複数の円筒型電池セルの電極端子とが接合した部位を覆うように外側方向へ延びた延長部を備えたことを特徴とする請求項１１に記載の二次電池パック。
【請求項１３】
前記パックケースの収容部には、前記複数の円筒型電池セルが載置される載置台が形成され、前記載置台には、前記複数の円筒型電池セルの電極端子が形成された端部の外形と対応するように凹んだ形状の凹部が複数個形成されたことを特徴とする請求項１から１２のいずれか一項に記載の二次電池パック。
【請求項１４】
請求項１から１３のいずれか一項に記載の二次電池パックを含む、電子デバイス。
【請求項１５】
請求項１から１３のいずれか一項に記載の二次電池パックを含む、電動工具。
【発明の詳細な説明】
【技術分野】
【０００１】
本発明は、放熱プレートを備えた二次電池パックに関し、より詳しくは、複数の円筒型電池セルの冷却効率が向上した二次電池パックに関する。
【０００２】
本出願は、２０１８年９月４日出願の韓国特許出願第１０−２０１８−０１０５４７６号に基づく優先権を主張し、該当出願の明細書及び図面に開示された内容は、すべて本出願に組み込まれる。
【背景技術】
【０００３】
二次電池は、多様な製品への適用が容易であり、高いエネルギー密度を有する電気的特性を有している。このような二次電池は、携帯用機器のみならず電気的駆動源によって駆動する電気自動車またはハイブリッド自動車、電力貯蔵装置などに適用されている。
【０００４】
二次電池は化石燃料の使用を画期的に減少させることができるという一次的な長所のみならず、エネルギーの使用による副産物が全く発生しないという点で環境にやさしく、エネルギー効率性の向上のための新しいエネルギー源として注目を浴びている。
【０００５】
電気車両などに適用される二次電池パックは、高出力を得るために複数の二次電池を含む複数の二次電池パックを連結した構造を有している。そして、個々の二次電池セルは電極組立体であって、正極及び負極集電体、セパレーター、活物質、電解液などを含み、構成要素間の電気化学的反応によって反復的な充放電が可能である。
【０００６】
一方、近来、エネルギー貯蔵源としての活用を含めて大容量構造に対する必要性が高まるにつれ、複数の二次電池が直列及び／または並列に接続した二次電池セルが集積した構造の二次電池パックに対する需要が増加しつつある。
【０００７】
さらに、最近、小型二次電池パックの場合にも、徐々に消費者の要求に応じて高出力・高容量化しつつある。
【０００８】
しかし、小型二次電池パックの内部に複数の二次電池セルが収容された場合、空間的な制約によって二次電池セルの密集度が非常に高かった。特に、二次電池セルの発熱量は電流の二乗に比例するため、高率放電時、二次電池セルの温度が急上昇することがよく発生していた。
【０００９】
さらに、小型二次電池パックは、各二次電池セルで発生する熱を容易に放出することが重要である。即ち、充放電過程で発生した熱を効果的に除去できなければ、熱蓄積が起こり得る。これによって、長期的に高温の環境に露出した電池セルは劣化が促進され、二次電池パックの寿命が速く減少するという問題があった。
【００１０】
そこで、二次電池パックの寿命特性を向上させるために効果的な冷却技術が必要な状況である。
【発明の概要】
【発明が解決しようとする課題】
【００１１】
本発明は、上記問題点に鑑みてなされたものであり、複数の円筒型電池セルの冷却効率が向上した二次電池パックを提供することを目的とする。
【００１２】
本発明の他の目的及び長所は、下記する説明によって理解でき、本発明の実施例によってより明らかに分かるであろう。また、本発明の目的及び長所は、特許請求の範囲に示される手段及びその組合せによって実現することができる。
【課題を解決するための手段】
【００１３】
上記の課題を達成するため、本発明による二次電池パックは、
電極端子が両端部に形成された複数の円筒型電池セルと、
前記複数の円筒型電池セルを収容するように内部に形成された収容部及び内部から外部に穿孔された露出部が少なくとも一つ以上備えられたパックケースと、
金属材質のプレート形態で構成され、前記パックケースの露出部に位置し、少なくとも一部が前記パックケースの露出部によって外部に露出した少なくとも一つ以上の放熱プレートと、
固体状態の熱伝導性素材を含み、前記複数の円筒型電池セルと前記放熱プレートとの間に介在される熱伝達パッドと、を含む。
【００１４】
また、前記熱伝達パッドは、前記複数の円筒型電池セルの上部を囲むように形成された上部パッドと、前記複数の円筒型電池セルの下部を囲むように形成された下部パッドと、を備え得る。
【００１５】
さらに、前記上部パッド及び前記下部パッドの各々には、前記複数の円筒型電池セルの間に介在されるように二次電池パックの内側方向へ突出した突出構造と二次電池パックの外側方向へ凹んだ凹み構造とが形成された屈曲部が備えられ得る。
【００１６】
そして、前記複数の円筒型電池セルは、相互所定の距離で離隔して一方向へ配列され得る。
【００１７】
また、前記上部パッド及び前記下部パッドの各々に備えられた屈曲部の突出構造は、相互対向するように位置し、一部が相互連結され得る。
【００１８】
また、前記放熱プレートの内側面には、前記屈曲部の突出構造と対応する位置に形成され、二次電池パックの内側方向へ膨らんでいる凸部が形成され得る。
【００１９】
さらに、熱伝達パッドの前記放熱プレートと対向する外側面には、前記凸部が挿入されるように二次電池パックの内側方向へ凹んだ挿入部が形成され得る。
【００２０】
そして、前記パックケースは、各々に前記露出部が形成された上部ケース及び下部ケースを備え得る。
【００２１】
また、前記上部ケースは、前記複数の円筒型電池セルの上部を内部に収容してカバーできるように内部構造が形成され得る。
【００２２】
また、前記下部ケースは、上面が前記上部ケースの下面と結合し、前記複数の円筒型電池セルの下部を収容してカバーできるように内部構造が形成され得る。
【００２３】
さらに、前記放熱プレートは、第１放熱プレート及び第２放熱プレートを備え、前記上部ケース及び前記下部ケースの各々の露出部の内側には、前記第１放熱プレート及び第２放熱プレートの各々の外周縁が挿入固定されるように内部に凹んだ挿入溝が形成され得る。
【００２４】
そして、前記上部パッド及び前記下部パッドの各々には、第１放熱プレート及び第２放熱プレートの各々の内側面と接触するように外側方向へ突出した支持部が形成され得る。
【００２５】
また、前記放熱プレートの外周縁は、前記放熱プレートの中心部よりもプレートの厚さが厚く形成され得る。
【００２６】
さらに、前記露出部には、穿孔された開口の一側から他側へ延びて形成されたリブが少なくとも一つ以上形成され得る。
【００２７】
そして、前記二次電池パックは、前記複数の円筒型電池セルに形成された電極端子に接触し、前記複数の円筒型電池セル同士を電気的に接続する接続バスバーをさらに含み得る。
【００２８】
さらに、前記熱伝達パッドは、前記接続バスバーと前記複数の円筒型電池セルの電極端子とが接合した部位を覆うように外側方向へ延びた延長部を備え得る。
【００２９】
また、前記パックケースの収容部には、前記複数の円筒型電池セルが載置される載置台が形成され、前記載置台には、前記複数の円筒型電池セルの電極端子が形成された端部の外形と対応するように凹んだ形状の凹部が複数個形成され得る。
【００３０】
なお、上記の課題を達成するための本発明による電子デバイスは、前記二次電池パックを含み得る。
【００３１】
また、上記の課題を達成するための本発明による電動工具は、前記二次電池パックを含み得る。
【発明の効果】
【００３２】
本発明の一面によれば、本発明の二次電池パックは、放熱プレート及び当該放熱プレートの少なくとも一部を外部に露出する露出部が形成されたパックケースを備えることで、円筒型電池セルで生成した熱を外部へ効果的に放出できる。
【００３３】
また、本発明の一面によれば、熱伝導性材質の熱伝達パッドが複数の円筒型電池セルと放熱プレートとの間に介在されることで、二次電池パックの内部に収容された複数の円筒型電池セルで発生した熱が、熱伝達パッドを介して効果的に放熱プレートへ伝達される。これによって、二次電池パックの冷却効率を極大化することができる。
【００３４】
さらに、本発明の他面によれば、本発明の上部パッド及び下部パッドの各々に備えられた屈曲部の突出構造が相互対向するように位置し、一部が相互連結されるように形成されることで、熱伝達パッドが複数の円筒型電池セルの外面を囲む接触面積をさらに増加できるだけではなく、複数の円筒型電池セル同士の間隙を熱伝達パッドで満たすことができ、間隙の空気によって停滞した熱による円筒型電池セルの過熱を防止することができる。
【００３５】
そして、本発明のさらなる他面によれば、放熱プレートの内側面に凸部を形成することで、熱伝達パッドと放熱プレートとの間の熱伝達経路の長さを均一にすることができる。即ち、複数の円筒型電池セルのうち中央に位置した円筒型電池セルは、外側部に位置した円筒型電池セルよりも相対的に熱蓄積が多く発生し得るため、劣化しやすい。これによって、本発明の放熱プレートに凸部を形成することで、中央に位置した円筒型電池セルの放熱速度を高めることができ、複数の円筒型電池セル同士の熱均衡を効果的になすことができる。また、二次電池パックの寿命を効果的に増やすことができる。
【００３６】
また、本発明のさらなる他面によれば、放熱プレートをパックケースの露出部の内面に形成された挿入溝に挿入固定することで、別の固定部材を用いることなく放熱プレートを固定することができる。これによって、二次電池パックの製造時、材料費を節減することができる。そして、放熱プレートがパックケースに挿入された形態は、二次電池パックに外部衝撃が加えられても放熱プレートが分離されにくく、二次電池パックの耐久性を大幅に向上させることができる。
【００３７】
さらに、本発明のさらなる他面によれば、相対的に放熱プレートの中心部よりも厚く形成された外周縁が、パックケースの内部に挿入された形態を有する場合、パックケースの剛性を補強できる効果を奏する。即ち、放熱プレートの外周縁は、パックケースの内部を支持するように構成されることで、外部圧力によるパックケースの変形を効果的に防止することができる。さらに、放熱プレートは、厚くなった外周縁の大きさ分だけ、熱を吸収できる熱容量を増やすことができる。また、パックケースとの接触面積が増加し、複数の円筒型電池セルで発生した熱を効果的に放熱できる。
【００３８】
そして、本発明のさらなる他面によれば、パックケースの露出部にリブが少なくとも一つ以上形成されることで、パックケースの露出部の剛性をさらに補強できるだけでなく、使用者がパックケースの露出部に位置した放熱プレートに直接接触することを防止することができる。これによって、二次電池パックの使用中におけるやけどなどの被害を防止することができ、二次電池パックの安全性を向上させることができる。
【００３９】
さらに、本発明のさらなる他面によれば、熱伝達パッドは、接続バスバーと複数の円筒型電池セルの電極端子とが接合された部位を覆うように外側方向へ延びた延長部を備えることで、相対的に発熱量が多い接続バスバーと電極端子との接合部位で発生した熱を延長部を介して効果的に放熱プレートへ伝達することができる。これによって、二次電池パックの冷却効果をさらに向上させることができる。
【００４０】
本明細書に添付される次の図面は、本発明の望ましい実施例を例示するものであり、発明の詳細な説明とともに本発明の技術的な思想をさらに理解させる役割をするため、本発明は図面に記載された事項だけに限定されて解釈されてはならない。
【図面の簡単な説明】
【００４１】
【図１】本発明の一実施例による二次電池パックを概略的に示した斜視図である。
【図２】本発明の一実施例による二次電池パックの幾つかの構成を分解して概略的に示した分解斜視図である。
【図３】本発明の一実施例による二次電池パックの一部構成を概略的に示した一側面図である。
【図４】本発明の他の実施例による二次電池パックの一部構成を概略的に示した一側面図である。
【図５】本発明のさらに他の実施例による二次電池パックの一部構成を概略的に示した一側面図である。
【図６】本発明の他の実施例による二次電池パックの幾つかの構成を分解して概略的に示した分解斜視図である。
【図７】本発明の他の実施例による二次電池パックを概略的に示した斜視図である。
【図８】図７の二次電池パックを線Ｃ−Ｃ’に沿って概略的に示した断面図である。
【図９】本発明の他の実施例による二次電池パックの一部構成である放熱プレートを概略的に示した斜視図である。
【図１０】本発明のさらに他の実施例による二次電池パックを、図８のように切断して概略的に示した断面図である。
【図１１】本発明の他の実施例による二次電池パックを概略的に示した斜視図である。
【図１２】本発明の他の実施例による二次電池パックの一部構成を概略的に示した斜視図である。
【発明を実施するための形態】
【００４２】
以下、添付された図面を参照して本発明の望ましい実施例を詳しく説明する。これに先立ち、本明細書及び特許請求の範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。
【００４３】
したがって、本明細書に記載された実施例及び図面に示された構成は、本発明のもっとも望ましい一実施例に過ぎず、本発明の技術的な思想のすべてを代弁するものではないため、本出願の時点においてこれらに代替できる多様な均等物及び変形例があり得ることを理解せねばならない。
【００４４】
図１は、本発明の一実施例による二次電池パックを概略的に示した斜視図である。そして、図２は、本発明の一実施例による二次電池パックの幾つかの構成を分離して概略的に示した分離斜視図である。
【００４５】
図１及び図２を参照すれば、本発明による二次電池パック１００は、複数の円筒型電池セル１１０、パックケース１２０、少なくとも一つ以上の放熱プレート１３０、接続バスバー１４０及び熱伝達パッド１５０を含み得る。
【００４６】
ここで、前記円筒型電池セル１１０は、円筒状電池缶１１８及び円筒状電池缶１１８の内部に収容された電極組立体（図示せず）を含み得る。
【００４７】
ここで、円筒状電池缶１１８は、電気伝導性の高い材質を含んでおり、例えば、円筒状電池缶１１８は、アルミニウムまたは銅を含み得る。
【００４８】
また、Ｆ方向から見たとき、円筒状電池缶１１８の左右方向の両端部に電極端子（第１電極端子１１１、第２電極端子１１２）が形成され得る。具体的に、円筒状電池缶１１８の一端の扁平な円形の一端面には、第１電極端子１１１が形成され得、円筒状電池缶１１８の他端の扁平な円形の他端面には、第２電極端子１１２が形成され得る。
【００４９】
さらに、前記電極組立体（図示せず）は、正極と負極との間に分離膜を挟んだ状態でゼリーロール型に巻き取られた構造で形成され得る。前記正極（図示せず）には、正極タブが付着され、円筒状電池缶１１８の一端の第１正極端子（第１電極端子）１１１に接続し得る。さらに、前記負極（図示せず）には、負極タブが付着され、円筒状電池缶１１８の他端の第２負極端子（第２電極端子）１１２に接続し得る。
【００５０】
また、前記複数の円筒型電池セル１１０は、相互所定の距離で離隔して一方向へ配列され得る。例えば、図２に示したように、Ｆ方向から見たとき、複数の円筒型電池セル１１０の第１電極端子１１１及び第２電極端子１１２が左右方向へ両端部に位置するように配置され得る。そして、前記複数の円筒型電池セル１１０は、前後方向へ所定の距離で離隔して配列され得る。
【００５１】
具体的に、前記接続バスバー１４０は、一方向へ長く延びた接続部１４０ａ及び前記接続部１４０ａから折り曲げられて延びた折り曲げ部１４０ｂを備え得る。さらに、前記接続バスバー１４０の折り曲げ部１４０ｂのパックケース１２０の外部に露出した端部には、外部入出力端子１４２が形成され得る。そして、前記外部入出力端子１４２の形態は、外部方向へ突出した円柱状であり得る。
【００５２】
さらに、前記接続バスバー１４０は、前記複数の円筒型電池セル１１０同士を電気的に接続し得る。また、このために、前記接続バスバー１４０の接続部１４０ａは、前記複数の円筒型電池セル１１０に形成された第１電極端子１１１または第２電極端子１１２に接触するように構成され得る。
【００５３】
また、前記接続バスバー１４０は、前記複数の円筒型電池セル１１０の第１電極端子１１１、第２電極端子１１２に接触し、第１電極端子１１１、第２電極端子１１２同士を電気的に接続するように構成され得る。この際、前記接続バスバー１４０は、電気伝導性に優れた金属からなり得る。例えば、前記接続バスバー１４０は、ニッケル、金、アルミニウム、銅またはこれらの組合せなどであり得る。
【００５４】
具体的に、前記接続バスバー１４０は、一つの円筒型電池セル１１０の第１電極端子１１１と他の一つの円筒型電池セル１１０の第２電極端子１１２とが電気的に接続するように、一端が一つの円筒型電池セル１１０の第１電極端子１１１に接触し、他端が他の一つの円筒型電池セル１１０の第２電極端子１１２に接触し得る。
【００５５】
例えば、図２に示したように、２個の接続バスバー１４０の各々が、一つの円筒型電池セル１１０の第１電極端子１１１と他の一つの円筒型電池セル１１０の第２電極端子１１２とを電気的に接続するように構成され得る。
【００５６】
また、前記接続バスバー１４０は、一つの円筒型電池セル１１０の第１電極端子１１１と他の一つの円筒型電池セル１１０の第１電極端子１１１とが電気的に接続するように、接続部１４０ａの一部が一つの円筒型電池セル１１０の第１電極端子１１１に接触し、接続部１４０ａの他部が他の一つの円筒型電池セル１１０の第１電極端子１１１に接触し得る。
【００５７】
さらに、前記接続バスバー１４０は、一つの円筒型電池セル１１０の第２電極端子１１２と他の一つの円筒型電池セル１１０の第２電極端子１１２とが電気的に接続するように、一端が一つの円筒型電池セル１１０の第２電極端子１１２に接触し、他端が他の一つの円筒型電池セル１１０の第２電極端子１１２に接触し得る。
【００５８】
さらに、前記接続バスバー１４０は、前記円筒型電池セル１１０の第１電極端子１１１または第２電極端子１１２が形成された一端面または他端面と対向するように位置し得る。例えば、図２に示したように、二つの接続バスバー１４０が４個の円筒型電池セル１１０を電気的に直列接続するように構成され得る。また、一つの接続バスバー１４０の接続部１４０ａは、複数の円筒型電池セル１１０の第１電極端子１１１と対向するように一側に位置し得る。他の一つの接続バスバー１４０は、複数の円筒型電池セル１１０の第２電極端子１１２と対向するように他側に位置し得る。
【００５９】
一方、前記パックケース１２０は、一体型で構成され得る。または、前記パックケース１２０は、二つの部材が結合するように構成され得る。また、前記パックケース１２０の内部には、円筒型電池セル１１０などの構成を収容できる空間が形成された収容部１２３が備えられ得る。例えば、図２に示したように、４個の円筒型電池セル１１０が前記パックケース１２０の内部に収容される空間を有する収容部１２３が形成され得る。
【００６０】
さらに、前記パックケース１２０の収容部１２３には、前記複数の円筒型電池セル１１０が上部に載置される載置台１２３ａが形成され得る。そして、前記載置台１２３ａには、前記複数の円筒型電池セル１１０の電極端子（第１電極端子）１１１が形成された端部の外形と対応するように凹んだ形状の凹部が複数個形成され得る。
【００６１】
したがって、本発明のこのような構成によれば、前記パックケース１２０の収容部１２３に凹部が複数個形成された載置台１２３ａを形成することで、複数の円筒型電池セル１１０の外部衝撃による動きを防止することができ、頻繁な動きによる接続バスバー１４０との接触不良ないし接合解除現象を減らすことができる。
【００６２】
さらに、前記パックケース１２０は、内部から外部に穿孔された開口０１が形成された露出部１２７を少なくとも一つ以上備え得る。具体的に、前記露出部１２７は、前記パックケース１２０の外側に開口されて形成され得る。例えば、図１に示したように、前記露出部１２７は、Ｆ方向から見たとき、前記パックケース１２０の上部及び下部の各々に形成され得る。
【００６３】
また、図２をさらに参照すれば、前記パックケース１２０は、各々に前記露出部１２７が形成された上部ケース１２１及び下部ケース１２５を備え得る。また、前記上部ケース１２１には、前記複数の円筒型電池セル１１０の上部を内部に収容してカバーできるように内部構造が形成され得る。さらに、前記下部ケース１２５は、上面が前記上部ケース１２１の下面と結合するように構成され得る。そして、前記複数の円筒型電池セル１１０の下部を収容してカバーできるように内部構造が形成され得る。
【００６４】
ここで、前、後、左、右、上、下のような方向を示す用語は、観測者の位置や対象の置かれた形態によって変わり得る。但し、本明細書においては、説明の便宜のために、Ｆ方向から見たときを基準にして、前、後、左、右、上、下などの方向を区分して示す。
【００６５】
例えば、図２に示したように、前記パックケース１２０は、上部ケース１２１及び下部ケース１２５を備えている。また、前記上部ケース１２１の上部には、内部から外部に穿孔された露出部１２７が形成され得る。さらに、前記下部ケース１２５の下部には、内部から外部に穿孔された露出部１２７が形成され得る。そして、前記上部ケース１２１の下部と前記下部ケース１２５の上部とが相互結合して構成され得る。
【００６６】
一方、本発明の前記パックケース１２０には、放熱プレート１３０が固定されて位置し得る。具体的に、前記放熱プレート１３０は、金属材質のプレート形態で構成され得る。また、前記金属材質は、熱伝導性に優れた金属であり得る。例えば、前記金属は、銅、アルミニウム、銅合金またはアルミニウム合金であり得る。
【００６７】
また、前記放熱プレート１３０は、前記パックケース１２０の露出部１２７に位置し得る。即ち、前記放熱プレート１３０は、少なくとも一部が前記パックケース１２０の露出部１２７によって外部に露出するように構成され得る。例えば、図１に示したように、前記放熱プレート１３０は、前記パックケース１２０の露出部１２７の穿孔された開口０１と対応する大きさ及び形状である長方形のプレート形状を有し得る。
【００６８】
また、図２に示したように、前記パックケース１２０は、上部ケース１２１及び下部ケース１２５を備え得る。さらに、前記上部ケース１２１及び下部ケース１２５の各々には、内部から外部に穿孔された露出部１２７が形成され得る。そして、各々の露出部１２７には、開口０１を通して長方形のプレート形状の第１放熱プレート１３１及び第２放熱プレート１３５の各々の一部が外部に露出するように位置し得る。
【００６９】
したがって、本発明のこのような構成によれば、前記放熱プレート１３０及び前記放熱プレート１３０の少なくとも一部を外部に露出できるパックケース１２０の露出部１２７を備えることで、前記円筒型電池セル１１０で発生した熱を外部へ効果的に放出できる。
【００７０】
図３は、本発明の一実施例による二次電池パックの一部構成を概略的に示した一側面図である。
【００７１】
図２と共に図３をさらに参照すれば、前記熱伝達パッド１５０は、固体状態であり得る。例えば、前記熱伝達パッド１５０は、熱伝導性の液体状の高分子素材が所定の形状に加工した後、硬化させたものであり得る。そして、前記熱伝達パッド１５０は、前記複数の円筒型電池セル１１０と前記放熱プレート１３０との間に介在されるように構成され得る。さらに、前記熱伝達パッド１５０は、一面が前記放熱プレート１３０の内側面と接するように構成され得る。そして、前記熱伝達パッド１５０の他面は、前記複数の円筒型電池セル１１０の外面の一部を囲むように形成され得る。
【００７２】
具体的に、前記熱伝達パッド１５０は、前記複数の円筒型電池セル１１０の上部を囲むように形成された上部パッド１５１と、前記複数の円筒型電池セル１１０の下部を囲むように形成された下部パッド１５５と、を備え得る。例えば、図３に示したように、前記上部パッド１５１は、第１放熱プレート１３１と前記複数の円筒型電池セル１１０との間に介在されるように形成され得る。そして、前記下部パッド１５５は、第２放熱プレート１３５と前記複数の円筒型電池セル１１０との間に介在されるように形成され得る。
【００７３】
また、前記上部パッド１５１及び前記下部パッド１５５の各々には、前記複数の円筒型電池セル１１０の間に介在されるように二次電池パック１００の内側方向へ突出した突出構造Ｐ１と、二次電池パック１００の外側方向へ凹んだ凹み構造Ｕ１とが形成された屈曲部１５３が備えられ得る。
【００７４】
より具体的に、前記突出構造Ｐ１は、前記複数の円筒型電池セル１１０同士の隙間を一部満し得る形状を有することができる。例えば、前記突出構造Ｐ１は、突出した方向へ幅が細くなるように形成され得、外側面が平面を有し得る。
【００７５】
そして、前記上部パッド１５１及び前記下部パッド１５５の各々に形成された前記屈曲部１５３の凹み構造Ｕ１は、アーチ状の構造を有し得る。例えば、図２に示したように、前記上部パッド１５１及び前記下部パッド１５５の各々には、３個の突出構造Ｐ１及び４個のアーチ状の凹み構造Ｕ１が形成された屈曲部１５３が４箇所に形成され得る。
【００７６】
また、前記熱伝達パッド１５０は、熱伝導性の高い素材を少なくとも一部含み得る。ここで、前記熱伝達パッド１５０は、熱伝導性の高い高分子樹脂またはシリコーン系樹脂及びフィラーを含み得る。例えば、前記高分子樹脂は、ポリシロキサン樹脂、ポリアミド樹脂、ウレタン樹脂またはエポキシ樹脂であり得る。さらに、前記シリコーン樹脂は、シロキサン結合による主要骨格を有する人工高分子化合物を指す。例えば、図３に示したように、前記上部パッド１５１及び前記下部パッド１５５は、前記熱伝導性の高いシリコーン系樹脂が硬化した形態であり得る。
【００７７】
したがって、本発明のこのような構成によれば、熱伝導性材質の前記熱伝達パッド１５０が、前記複数の円筒型電池セル１１０と前記放熱プレート１３０との間に介在されることで、二次電池パック１００の内部に収容された複数の円筒型電池セル１１０で発生した熱が前記熱伝達パッド１５０を介して効果的に放熱プレート１３０に伝達できる。これによって、二次電池パック１００の冷却効果を極大化することができる。
【００７８】
図４は、本発明の他の実施例による二次電池パックの一部構成を概略的に示した一側面図である。
【００７９】
図４を参照すれば、本発明の他の実施例による二次電池パック１００は、図３の熱伝達パッド１５０とは異なる形状の熱伝達パッド１５０Ｂを備え得る。具体的に、前記熱伝達パッド１５０Ｂは、前記上部パッド１５１Ｂ及び前記下部パッド１５５Ｂの各々に備えられた屈曲部１５３Ｂを備え得る。この際、前記上部パッド１５１Ｂ及び前記下部パッド１５５Ｂの各々に備えられた屈曲部１５３Ｂの突出構造Ｐ１は、相互対向するように位置し得る。また、前記上部パッド１５１Ｂ及び前記下部パッド１５５Ｂの各々に形成された突出構造Ｐ１は、一部が相互接触した形態を有し得る。即ち、前記上部パッド１５１Ｂと下部パッド１５５Ｂとが相互接続して一体型となり得る。
【００８０】
例えば、図４に示したように、前記熱伝達パッド１５０Ｂは、前記上部パッド１５１Ｂ及び前記下部パッド１５５Ｂの各々に備えられた屈曲部１５３Ｂの突出構造Ｐ１が相互接続した一体型であり得る。
【００８１】
したがって、本発明のこのような構成によれば、本発明の上部パッド１５１Ｂ及び前記下部パッド１５５Ｂの各々に備えられた屈曲部１５３Ｂの突出構造Ｐ１が相互対向するように位置し、一部が相互接続するように形成されることで、前記熱伝達パッド１５０Ｂが前記複数の円筒型電池セル１１０の外面を囲む接触面積をさらに増やすことができる。また、前記複数の円筒型電池セル１１０同士の間隙を前記熱伝達パッド１５０Ｂで満たすことができ、間隙の空気によって停滞される熱による部分過熱を防止することができる。
【００８２】
図５は、本発明のさらに他の実施例による二次電池パックの一部構成を概略的に示した一側面図である。
【００８３】
図５を参照すれば、本発明の他の実施例による二次電池パック１００は、図３の放熱プレート１３０とは異なる形状の放熱プレート１３０Ｃを備え得る。具体的に、前記放熱プレート１３０Ｃには、二次電池パック１００の内側方向へ膨らんでいる凸部１３４が形成され得る。また、前記凸部１３４は、内側面に前記熱伝達パッド１５０の屈曲部１５３の突出構造Ｐ１と対応する位置に形成され得る。さらに、前記熱伝達パッド１５０の前記放熱プレート１３０Ｃと対向している外側面には、前記凸部１３４が挿入されるように二次電池パック１００の内側方向へ凹んだ挿入部１５７が形成され得る。
【００８４】
さらに、前記凸部１３４は、屈曲部１５３と対応する形状を有し得る。即ち、前記凸部１３４は、屈曲部１５３と類似な形態の突出構造及び凹み構造を有し得る。
【００８５】
例えば、図５に示したように、本発明の他の実施例による二次電池パックは、第１放熱プレート１３１Ｃ及び第２放熱プレート１３５Ｃを含み得る。また、前記第１放熱プレート１３１Ｃ及び第２放熱プレート１３５Ｃの各々の内側面には、二次電池パック１００の内側方向へ膨らんでいる凸部１３４が３個形成され得る。さらに、前記凸部１３４は、前記上部パッド１５１及び前記下部パッド１５５の各々の屈曲部１５３の突出構造Ｐ１と対応する位置に形成され得る。
【００８６】
したがって、本発明のこのような構成によれば、前記放熱プレート１３０Ｃの内側面に凸部１３４を形成することで、前記熱伝達パッド１５０と前記放熱プレート１３０Ｃとの間の熱伝達経路の長さを均一にすることができる。即ち、前記複数の円筒型電池セル１１０のうち、中央に位置した円筒型電池セル１１０は、外側部に位置した円筒型電池セル１１０よりも相対的に熱蓄積がよく発生し得るため、劣化する可能性が高い。これに対し、本発明の放熱プレート１３０Ｃに凸部１３４を形成することで、中央に位置した円筒型電池セル１１０と前記放熱プレート１３０Ｃとの熱伝達距離を減らし、放熱速度を高めることができる。これによって、複数の円筒型電池セル１１０同士の熱均衡を効果的になすことができ、二次電池パック１００の寿命を効果的に延ばすことができる。
【００８７】
図６は、本発明の他の実施例による二次電池パックの幾つかの構成を分離して概略的に示した分離斜視図である。図７は、本発明の他の実施例による二次電池パックを概略的に示した斜視図である。そして、図８は、図７の二次電池パックを線Ｃ−Ｃ’に沿って切断して概略的に示した断面図である。
【００８８】
図６〜図８を参照すれば、前記放熱プレート１３０は、第１放熱プレート１３１及び第２放熱プレート１３５を備え得る。そして、前記上部ケース１２１Ｄ及び前記下部ケース１２５Ｄの各々の露出部１２７の内側には、内部へ凹んだ挿入溝１２７ｈが形成され得る。具体的に、前記挿入溝１２７ｈは、前記第１放熱プレート１３１及び第２放熱プレート１３５の各々の外周縁が挿入固定されるように凹んだ大きさを有し得る。
【００８９】
例えば、図６に示したように、前記挿入溝１２７ｈは、前記露出部１２７の内側に形成され得る。そして、前記挿入溝１２７ｈは、穿孔された露出部１２７の内周面１２７Ｄに沿って延びて形成され得る。さらに、図８に示したように、前記第１放熱プレート１３１及び第２放熱プレート１３５の各々の外周縁が前記上部ケース１２１Ｄ及び前記下部ケース１２５Ｄの各々に形成された挿入溝１２７ｈに挿入され得る。
【００９０】
この際、前記第１放熱プレート１３１及び第２放熱プレート１３５の各々は、インサート射出成形によって上部ケース１２１Ｄ及び下部ケース１２５Ｄの各々の内部に挿入されるように形成され得る。例えば、前記パックケース１２０Ｄの上部ケース１２１Ｄ及び下部ケース１２５Ｄを鋳造によって製造する場合、金型に予め放熱プレート１３０を配置し、溶融したパックケース１２０Ｄの材料（例えば、プラスチック高分子樹脂）を注入した後、硬化する方式でパックケース１２０Ｄに挿入された放熱プレート１３０を製造することができる。
【００９１】
したがって、本発明のこのような構成によれば、前記放熱プレート１３０をパックケース１２０Ｄの露出部１２７の内面に形成された挿入溝１２７ｈに挿入固定することで、別の固定部材を用いることなく前記放熱プレート１３０を固定することができ、材料費を節減することができる。そして、前記放熱プレート１３０が前記パックケース１２０Ｄに挿入された形態は外部衝撃にも分離されにくく、二次電池パック１００の耐久性が大幅向上する。
【００９２】
また、図８の熱伝達パッド１５０Ｄは、図２の熱伝達パッド１５０の形状と異なり得る。具体的に、前記熱伝達パッド１５０Ｄは、上部パッド１５１Ｄ及び下部パッド１５５Ｄを含み得る。そして、前記上部パッド１５１Ｄ及び下部パッド１５５Ｄの各々には、前記放熱プレート１３０の内側面と接触するように外側方向へ突出した支持部１５６Ｄが形成され得る。さらに、前記支持部１５６Ｄは、前記露出部１２７の開口０１を通して露出した放熱プレート１３０の外側面の大きさと対応する大きさを有し得る。
【００９３】
例えば、図８に示したように、前記熱伝達パッド１５０Ｄは、上部パッド１５１Ｄ及び下部パッド１５５Ｄを含み得る。そして、前記上部パッド１５１Ｄ及び下部パッド１５５Ｄの各々には、第１放熱プレート１３１及び第２放熱プレート１３５の各々の内側面と接触するように外側方向へ突出した支持部１５６Ｄが形成され得る。
【００９４】
したがって、本発明のこのような構成によれば、本発明の熱伝達パッド１５０Ｄに放熱プレート１３０の内側面と接触するように構成された支持部１５６Ｄを形成することで、前記放熱プレート１３０と前記熱伝達パッド１５０Ｄとの間に空間が形成されないように構成できるため、二次電池パックの冷却効率を阻害しない。
【００９５】
図９は、本発明の他の実施例による二次電池パックの一部構成である放熱プレートを概略的に示した斜視図である。そして、図１０は、本発明のさらに他の実施例による二次電池パックを図８のように切断して概略的に示した断面図である。
【００９６】
図９及び図１０を参照すれば、前記放熱プレート１３０Ｅの外周縁１３３は、前記放熱プレート１３０Ｅの中心部１３７よりもプレートの上下方向Ｗの厚さが厚く形成され得る。また、前記放熱プレート１３０Ｅの外周縁１３３は、挿入溝１２７ｈ２を介して前記パックケース１２０の内部に挿入された形態を有し得る。
【００９７】
具体的に、前記放熱プレート１３０Ｅは、全体的に四角プレートの形状を有し得る。そして、前記放熱プレート１３０Ｅの外周縁１３３の厚さは、中心部１３７よりも１．２〜２倍厚く形成され得る。さらに、前記放熱プレート１３０Ｅの外周縁１３３と中心部１３７との間には厚さの違いによる段差が形成され得る。
【００９８】
例えば、図９に示したように、前記放熱プレート１３０Ｅの外周縁１３３は、中心部１３７よりもプレートの厚さが厚く形成され得る。また、前記放熱プレート１３０Ｅの外周縁１３３は、中心部１３７が塞がっている四角フレームの形状を有し得る。
【００９９】
したがって、本発明のこのような構成によれば、前記放熱プレート１３０Ｅにおいて中心部１３７より相対的に厚く形成された外周縁１３３が前記パックケース１２０の内部に挿入された形態を有する場合、パックケース１２０の剛性を補強する効果を奏する。即ち、前記放熱プレート１３０Ｅの外周縁１３３は、前記パックケース１２０の内部を支持するように構成されることで、外部圧力によるパックケース１２０の変形を効果的に防止することができる。
【０１００】
さらに、前記放熱プレート１３０Ｅは、厚くなった外周縁１３３の大きさだけ熱を吸収できる熱容量をふやすことができ、パックケース１２０との接触面積も増加し、前記複数の円筒型電池セル１１０で発生した熱を効果的に放熱することができる。
【０１０１】
図１１は、本発明の他の実施例による二次電池パックを概略的に示した斜視図である。
【０１０２】
図１１を参照すれば、本発明の図１１のパックケース１２０Ｆは、図１のパックケース１２０とは異なる形態を有し得る。
【０１０３】
具体的に、前記パックケース１２０Ｆは、上部ケース１２１Ｆ及び下部ケース１２５Ｆを備え得る。また、前記パックケース１２０Ｆの上部ケース１２１Ｆ及び下部ケース１２５Ｆには、内部から外部に穿孔された露出部１２７Ｆが少なくとも一つ以上備えられ得る。さらに、前記露出部１２７Ｆは、前記パックケース１２０Ｆの上側または下側に形成され得る。例えば、図１１に示したように、前記露出部１２７Ｆは、Ｆ方向から見たとき、前記パックケース１２０Ｆの上部ケース１２１Ｆ及び下部ケース１２５Ｆの各々に形成され得る。
【０１０４】
そして、前記露出部１２７Ｆには、穿孔された開口０１の一側から他側へ延びて形成されたリブ１２８ｒが少なくとも一つ以上形成され得る。さらに、前記複数のリブ１２８ｒが形成される場合、前記複数のリブ１２８ｒは、相互所定の距離で離隔して形成され得る。また、前記図１の露出部１２７Ｆに穿孔された開口０１の平面視による大きさの５０％以下の広さで、前記複数のリブ１２８ｒが形成され得る。
【０１０５】
例えば、図１１に示したように、前記パックケース１２０Ｆの露出部１２７Ｆには、穿孔された開口０１の一側から他側へ延びて形成されたリブ１２８ｒが６個形成され得る。さらに、前記６個のリブ１２８ｒが占める面積は、前記図１の露出部１２７Ｆに穿孔された開口０１の大きさの約５０％であり得る。
【０１０６】
したがって、本発明のこのような構成によれば、前記パックケース１２０Ｆの露出部１２７Ｆに穿孔された開口０１の一側から他側へ延びて形成されたリブ１２８ｒが少なくとも一つ以上形成されることで、パックケース１２０Ｆの剛性をより補強できるだけでなく、使用者が前記パックケース１２０Ｆの露出部１２７Ｆに位置した放熱プレート１３０に直接接触することを防止することができる。これによって、二次電池パック１００の使用者が、使用中にやけどをするなどの被害を防止することができ、二次電池パック１００の安全性を向上させることができる。
【０１０７】
図１２は、本発明の他の実施例による二次電池パックの一部構成を概略的に示した斜視図である。
【０１０８】
図２と共に図１２を参照すれば、本発明の他の実施例による二次電池パック１００の熱伝達パッド１５０Ｇは、前記複数の円筒型電池セル１１０の上部を覆うように構成されたカバー部１５１ａ及び前記カバー部１５１ａの一側から水平方向へ延びた延長部１５１ｂを備え得る。具体的に、前記延長部１５１ｂは、前記接続バスバー１４０と前記複数の円筒型電池セル１１０の電極端子（第１電極端子）１１１とが接合された部位を覆うように外側方向へ延びた形態であり得る。
【０１０９】
例えば、図１２に示したように、他の実施例による熱伝達パッド１５０Ｇには、前記複数の円筒型電池セル１１０の上部を覆うように構成されたカバー部１５１ａ及び前記カバー部１５１ａの左右方向の両側端の各々から水平方向へ延びた延長部１５１ｂが形成され得る。また、前記延長部１５１ｂは外側方向へ延び、さらに下方へ折り曲げられ、前記接続バスバー１４０の前記複数の円筒型電池セル１１０の電極端子（第１電極端子）１１１と接合された部位を覆うように構成され得る。
【０１１０】
したがって、本発明のこのような構成によれば、前記熱伝達パッド１５０Ｇは、前記接続バスバー１４０と前記複数の円筒型電池セル１１０の電極端子（第１電極端子）１１１とが接合された部位を覆うように外側方向へ延びた延長部１５１ｂを備えることで、相対的に発熱量が多い接続バスバー１４０と電極端子（第１電極端子）１１１との接合部位で発生した熱を前記延長部１５１ｂを介して効果的に放熱プレート１３０へ伝達できる。これによって、二次電池パック１００の冷却効果をさらに向上させることができる。
【０１１１】
そして、本発明による電子デバイス（図示せず）は、前記バッテリーパックを含み得る。例えば、前記バッテリーパックは、前記電子デバイスの外装ケースの内部に収容され得る。また、前記電子デバイスは、電気自転車のような移動手段であり得る。
【０１１２】
なお、本発明による電動工具は、二次電池パック１００を含み得る。例えば、前記電動工具は、電動ドリルであり得る。また、前記二次電池パック１００は、前記電動工具の一側に結合するように構成され得る。
【０１１３】
なお、本明細書において、上、下、左、右、前、後のような方向を示す用語が使用されたが、このような用語は相対的な位置を示し、説明の便宜のためのものであるだけで、対象となる事物の位置や観測者の位置などによって変わり得ることは、当業者にとって自明である。
【０１１４】
以上のように、本発明を限定された実施例と図面によって説明したが、本発明はこれに限定されるものではなく、本発明の属する技術分野で通常の知識を持つ者によって本発明の技術思想と特許請求の範囲の均等範囲内で多様な修正及び変形が可能であることは言うまでもない。
【産業上の利用可能性】
【０１１５】
本発明は、放熱プレートを含む二次電池パックに関する。また、本発明は、前記二次電池パックが備えられた電子デバイス及び電動工具関連産業に利用可能である。
【符号の説明】
【０１１６】
１００    二次電池パック
１１０    円筒型電池セル
１１１    第１電極端子（電極端子）
１１２    第２電極端子（電極端子）
１２０    パックケース
１２１    上部ケース
１２３    収容部
１２５    下部ケース
１２７    露出部
１２７ｈ    挿入溝
１２８ｒ    リブ
１３０    放熱プレート
１３４    凸部
１４０    接続バスバー
１５０    熱伝達パッド
１５１    上部パッド
１５１ａ    カバー部
１５１ｂ    延長部
１５３    屈曲部
１５５    下部パッド
１５７    挿入部
【図１】
2020537310.tif 000003
【図２】
2020537310.tif 000004
【図３】
2020537310.tif 000005
【図４】
2020537310.tif 000006
【図５】
2020537310.tif 000007
【図６】
2020537310.tif 000008
【図７】
2020537310.tif 000009
【図８】
2020537310.tif 000010
【図９】
2020537310.tif 000011
【図１０】
2020537310.tif 000012
【図１１】
2020537310.tif 000013
【図１２】
2020537310.tif 000014
【国際調査報告】
2020537310.tif 000015
2020537310.tif 000016
2020537310.tif 000017
2020537310.tif 000018